(57)【要約】【課題】筆記具を保持させて簡便に持ち運びできるとともに、紙類が不意に捲れて皺や折り目等がつくのを防止ししながら紙類を安定して保持できる紙類挟みホルダ装置を提供する。【解決手段】板面上に紙類を広げて載置させる台板１２と、台板１２の一端（Ｅ１）に設けられ台板面上に載置した紙類の一端部を着脱自在に挟持する挟持部１４と、筆記具５２を保持すると共に台板１２の他端部（Ｅ２）に着脱自在に連結される保持具１６と、保持具１６と台板１２にそれぞれ設けられる磁力吸着要素３０、３２により保持具１６と台板１２とを台板１２の他端部（Ｅ２）において紙類５０を挟み込む状態で着脱自在に磁力連結する磁力連結機構１８と、を有する紙類挟みホルダ装置１０から構成される。【選択図】図１
0003180764.tif 000002
【実用新案登録請求の範囲】
【請求項１】
板面上に紙類を広げて載置させる台板と、
台板の一端に設けられ台板面上に載置した紙類の一端部を着脱自在に挟持する挟持部と、
筆記具を保持すると共に台板の他端部に着脱自在に連結される保持具と、
保持具と台板にそれぞれ設けられる磁力吸着要素により保持具と台板とを台板の他端部において紙類を挟み込む状態で着脱自在に磁力連結する磁力連結機構と、を有することを特徴とする紙類挟みホルダ装置。
【請求項２】
台板は略矩形状に形成され、その一辺側に挟持部が設けられ、
台板の磁力吸着要素は、磁石又は磁力吸着性の金属からなり、該台板の挟持部から離隔した他端側の隅部寄り位置に取り付けられたことを特徴とする請求項１記載の紙類挟みホルダ装置。
【請求項３】
筆記具は、一方に長い軸体の先端に筆記先端部が設けられたものであり、
保持具は、台板に連結された際には該筆記具の軸体が台板面と略平行となるように筆記具の軸体を横倒し保持する支持構造を備えたことを特徴とする請求項２記載の紙類挟みホルダ装置。
【請求項４】
台板の磁力吸着要素は、台板に貼り付けられて台板と略面一となる薄板状シート材からなることを特徴とする請求項３記載の紙類挟みホルダ装置。
【請求項５】
保持具は、筆記具を自在に挿脱させる挿入孔を有する筒状本体からなるとともに、磁力吸着要素は筒状本体に組み付けられた磁石からなり、
さらに、保持具の磁石は、横倒し保持する筆記具の軸体と台板上面との間に磁力連結機構により直接に挟み込まれない部分について紙類の厚み方向への逃げを許容するための逃げ空間を形成するように、筒状本体の外周面よりも径方向に突出されたことを特徴とする請求項４記載の紙類挟みホルダ装置。
【請求項６】
請求項１ないし５のいずれかに記載の紙類挟みホルダ装置に用いられる保持具。
【請求項７】
請求項１ないし５のいずれかに記載の紙類挟みホルダ装置に用いられる保持具を構成し、
筆記具を自在に挿入する挿入孔を有し該筆記具の端部に嵌着する筒状本体と、
筒状本体の外周面から径方向に突出されて組み付けられた磁石と、を一体的に備えたことを特徴とする筆記具用キャップ体。
【請求項８】
請求項４又は５記載の紙類挟みホルダ装置に用いられる、保持具と、薄板状シート材と、からなる筆記具用キャップセットであり、
保持具が、筆記具を自在に挿入する挿入孔を有し該筆記具の端部に嵌着する筒状本体と、筒状本体の外周面から径方向に突出されて組み付けられた磁石と、を一体的に備えた筆記具用キャップ体からなることを特徴とする筆記具用キャップセット。
【考案の詳細な説明】
【技術分野】
【０００１】
本考案は、紙類を挟んで台板上に保持できる紙類挟みホルダ装置及びそれに用いられる保持具、並びに筆記具用キャップ体及び筆記具用キャップセットに関する。
【背景技術】
【０００２】
硬質の板材の一端側に紙を挟むクリップ等が一体的に設けられた紙類挟みホルダは、机や台等がない場合でも紙を支持させて筆記できることから、例えば、グランドゴルフでのスコアカードへの記入やアンケートの記入等、屋内外で紙に記入する必要がある際に広く利用されている。紙挟みホルダを使用して紙に筆記する際にはペン等の筆記具が必要不可欠であるが、ペンと紙挟みボードとを別々に持ち運ぶのは不便である。また、紙挟みホルダと筆記具とを紐等で連結しておく場合もあるが、筆記具が固定されないので扱い難く持ち運びに不便であるとともに、紐が筆記する際には邪魔になりやすく使い勝手が悪かった。このような問題に対し、例えば特許文献１には、ペン等を保持できる紙挟みボードが提案されている。特許文献１の紙挟みボードでは、紙挟みボードのクリップ部分にペン等を挟んで支持するペンホルダーが設けられているものであった。
【先行技術文献】
【特許文献】
【０００３】
【特許文献１】実公平６−４７７５７号公報
【考案の概要】
【考案が解決しようとする課題】
【０００４】
従来の紙挟みボードでは、紙の一側辺側のみをクリップで挟む構成であるので、紙の他端側が自由に捲れるようになっているが、屋外での使用時には風で紙が捲れてしまったり持ち運び時に紙が捲れたりしやすいことから、紙に皺がよったり折れ目がついたり、又は筆記しにくかったりする等の問題が生じていた。また、構造が複雑でコストがかかるとともに、ペンの着脱操作が面倒であった。
【０００５】
本考案は、上記従来の課題に鑑みてなされたものであり、その一つの目的は、筆記具を保持させて簡便に持ち運びできるとともに、紙類が不意に捲れて皺や折り目等がつくのを防止しながら紙類を安定して保持できる紙類挟みホルダ装置及びそれに用いられる保持具、並びに筆記具用キャップ体及び筆記具用キャップセットを提供することにある。
【課題を解決するための手段】
【０００６】
上記課題を解決するために本考案は、板面上に紙類５０を広げて載置させる台板１２と、台板１２の一端（Ｅ１）に設けられ台板面上に載置した紙類５０の一端部を着脱自在に挟持する挟持部１４と、筆記具５２を保持すると共に台板１２の他端部（Ｅ２）に着脱自在に連結される保持具１６と、保持具１６と台板１２にそれぞれ設けられる磁力吸着要素３０、３２により保持具１６と台板１２とを台板１２の他端部（Ｅ２）において紙類５０を挟み込む状態で着脱自在に磁力連結する磁力連結機構１８と、を有する紙類挟みホルダ装置１０から構成される。
【０００７】
また、台板１２は略矩形状に形成され、その一辺側に挟持部が１４設けられ、台板１２の磁力吸着要素３０は、磁石又は磁力吸着性の金属からなり、該台板１２の挟持部１４から離隔した他端側の隅部寄り位置に取り付けられたこととしてもよい。台板１２の磁力吸着要素３０は、台板面と略面一になるように設けられるとよい。
【０００８】
また、筆記具５２は、一方に長い軸体５４の先端に筆記先端部５６が設けられたものであり、保持具１６は、台板１２に連結された際には該筆記具５２の軸体５４が台板面と略平行となるように筆記具５０の軸体５４を横倒し保持する支持構造２８を備えたこととしてもよい。
【０００９】
また、台板１２の磁力吸着要素３０は、台板１２に貼り付けられて台板１２と略面一となる薄板状シート材３４からなることとしてもよい。
【００１０】
また、保持具１６は、筆記具５２を自在に挿脱させる挿入孔２４を有する筒状本体２６からなるとともに、磁力吸着要素３２は筒状本体２６に組み付けられた磁石４０からなり、さらに、保持具１６の磁石４０は、横倒し保持する筆記具５２の軸体５４と台板上面との間に磁力連結機構１８により直接に挟み込まれない部分について紙類５０の厚み方向ｔへの逃げを許容するための逃げ空間４２を形成するように、筒状本体２６の外周面よりも径方向に突出されたこととしてもよい。
【００１１】
さらに、本発明は、上記記載の紙類挟みホルダ装置に用いられる保持具１６から構成される。
【００１２】
また、本発明は、上記記載の紙類挟みホルダ装置に用いられる保持具１６を構成し、筆記具５２を自在に挿入する挿入孔２４を有し該筆記具の端部に嵌着する筒状本体２６と、筒状本体５２の外周面から径方向に突出されて組み付けられた磁石４０と、を一体的に備えた筆記具用キャップ体から構成される。
【００１３】
また、本発明は、上記記載の紙類挟みホルダ装置に用いられる、保持具１６と、薄板状シート材３４と、で構成される筆記具用キャップセットであり、保持具１６が、筆記具５２を自在に挿入する挿入孔２４を有し該筆記具の端部に嵌着する筒状本体２６と、筒状本体２６の外周面から径方向に突出されて組み付けられた磁石４０と、を一体的に備えた筆記具用キャップ体からなる筆記具用キャップセットから構成される。
【考案の効果】
【００１４】
本考案の紙類挟みホルダ装置によれば、板面上に紙類を広げて載置させる台板と、台板の一端に設けられ台板面上に載置した紙類の一端部を着脱自在に挟持する挟持部と、筆記具を保持すると共に台板の他端部に着脱自在に連結される保持具と、保持具と台板にそれぞれ設けられる磁力吸着要素により保持具と台板とを台板の他端部において紙類を挟み込む状態で着脱自在に磁力連結する磁力連結機構と、を有することから、保持具により台板に対して筆記具を保持させることができるとともに保持具或いは筆記具の着脱操作も極めて簡単に行なえるうえ、台板上に載置した紙類の両端を挟持させて安定的に支持できるので利便性を向上できる。さらに、保持具と台板との着脱操作を磁力作用により簡単に行なえ、筆記具の不使用時の台板への保持操作や使用時の離脱操作をスムーズに行える。
【００１５】
また、台板は略矩形状に形成され、その一辺側に挟持部が設けられ、台板の磁力吸着要素は、磁石又は磁力吸着性の金属からなり、該台板の挟持部から離隔した他端側の隅部寄り位置に取り付けられた構成とすることにより、紙類に筆記する際等に磁力吸着要素が邪魔になりにくく、台板の他端部で紙類の他端部を挟持できるように磁力吸着要素を具体的に設置できる。
【００１６】
また、筆記具は、一方に長い軸体の先端に筆記先端部が設けられたものであり、保持具は、台板に連結された際には該筆記具の軸体が台板面と略平行となるように筆記具の軸体を横倒し保持する支持構造を備えた構成とすることにより、比較的コンパクトな状態で筆記具を保持でき、筆記具が邪魔になりにくく携帯性が良いとともに、保持させた状態の筆記具の取り外し操作も行いやすく、使い勝手が良い。
【００１７】
また、台板の磁力吸着要素は、台板に貼り付けられて台板と略面一となる薄板状シート材からなる構成とすることにより、台板上に載せた紙類に筆記する際に邪魔になりにくい構成で磁力吸着要素を簡単に実現でき、低コストで製造できる。また、既存の紙類挟みホルダ等を利用して簡単に製作することができ、低コスト化できる。
【００１８】
また、保持具は、筆記具を自在に挿脱させる挿入孔を有する筒状本体からなるとともに、磁力吸着要素は筒状本体に組み付けられた磁石からなり、さらに、保持具の磁石は、横倒し保持する筆記具の軸体と台板上面との間に磁力連結機構により直接に挟み込まれない部分について紙類の厚み方向への逃げを許容するための逃げ空間を形成するように、筒状本体の外周面よりも径方向に突出された構成とすることにより、保持した紙類が撓み等により厚み方向に浮き上がって筆記具を押し上げて保持具の台板に対する磁力連結が不意に離脱するのを防止し、良好に保持具による筆記具の保持状態を維持できる。
【００１９】
また、本発明によれば、請求項１ないし５のいずれかに記載の紙類挟みホルダ装置に用いられる保持具から構成されるので、筆記具を簡単に保持させることができるとともに台板に対する着脱操作も極めて簡単に行なえる。
【００２０】
また、本発明の筆記具用キャップ体によれば、請求項１ないし５のいずれかに記載の紙類挟みホルダ装置に用いられる保持具を構成し、筆記具を自在に挿入する挿入孔を有し該筆記具の端部に嵌着する筒状本体と、筒状本体の外周面から径方向に突出されて組み付けられた磁石と、を一体的に備えた構成であるから、筆記具にキャップとして簡単に装着させて、保持具として簡便に利用できる。
【００２１】
また、本発明の筆記具用キャップセットによれば、請求項４又は５記載の紙類挟みホルダ装置に用いられる、保持具と、薄板状シート材と、で構成される筆記具用キャップセットであり、保持具が、筆記具を自在に挿入する挿入孔を有し該筆記具の端部に嵌着する筒状本体と、筒状本体の外周面から径方向に突出されて組み付けられた磁石と、を一体的に備えた筆記具用キャップ体からなることから、筆記具にキャップとして簡単に装着させて保持具として簡便に利用できるとともに、例えば、既存の紙類挟みホルダ等に組み付けて低コストで簡単に製作することができる。
【図面の簡単な説明】
【００２２】
【図１】本考案の一実施形態に係る紙類挟みホルダ装置の全体図である。
【図２】図１の紙類挟みホルダ装置の一部を省略した拡大斜視図である。
【図３】図１の紙類挟みホルダ装置の保持具の説明図である。
【図４】図１の紙類挟みホルダ装置の台板の磁力吸着部の説明図である。
【図５】図１の紙類挟みホルダ装置に紙類を保持した作用図である。
【図６】図５のＡ−Ａ線矢視の拡大図である。
【考案を実施するための形態】
【００２３】
以下、添付図面を参照しつつ本考案の紙類挟みホルダ装置及びそれに用いられる保持具、並びに筆記具用キャップ体及び筆記具用キャップセットの実施の形態について説明する。本考案の紙類挟みホルダ装置は、紙類に筆記する際に紙類を台板上に載せて支持させることができる筆記補助具である。図１ないし図６は、本考案に係る紙類挟みホルダ装置の一実施形態を示している。図１、図２に示すように、紙類挟みホルダ装置１０は、紙類５０を載置する台板１２と、紙類５０を挟持する挟持部１４と、筆記具５２を保持する保持具１６と、台板１２と保持具１６との磁力連結機構１８と、を有する。
【００２４】
図１、図５に示すように、台板１２は、例えば、木製又は硬質合成樹脂等の硬質素材で形成された平板であり、板面上に紙類５０を広げて載置できる。本実施形態では、台板１２は、例えば、Ａ４サイズの紙類を載置できるように、縦×横のサイズが約３２ｃｍ×２３ｃｍ程度の隅丸長方形状で、厚さが約３ｍｍ程度の略矩形状平板体で設けられている。なお、台板１２のサイズ、形状は紙類のサイズ等に応じて任意に設計される。台板１２の下端部側には、磁力連結機構１８を構成する第１の磁力吸着要素３０が取り付けられている。図１上、符号２３は、台板１２に紐等を結び付けて吊り下げ等することができる吊り下げ用金具２３である。
【００２５】
挟持部１４は、台板１２の一端部Ｅ１に設けられ、台板１２の板面上に載置した紙類５０の一端部を着脱自在に挟持する第１の挟持手段である。本実施形態では、挟持部１４は、略矩形状の台板１２の一つの短辺側となる一端部Ｅ１（図１上、上端部側）に設置されている。挟持部１４は、例えば、クリップ本体２０と、クリップ本体２０を台板１２に取り付けるための取付部２２と、取付部内でクリップ本体２０と連係する付勢部材（図示せず）と、を備えている。取付部２２は、例えば、台板１２に面状に重ねられる薄板状の固定板部２２ａと、固定板部２２ａに連設かされ台板の板面に垂直方向に突出し左右両端を開口した筒部２２ｂと、で形成されている。挟持部１４のクリップ本体２０は、例えば、金属線材を所定形状に曲げて形成されている。クリップ本体２０は、揺動軸となるクリップ本体両端部分を内側に曲げて取付部２２の両端を開口した筒部２２ｂ内に挿入され、該筒部２２ｂの内部でねじりバネ等からなる付勢部材で台板１２に近接方向すなわち閉鎖方向に常時付勢されている。紙類を挟持する際には、クリップ本体２０を付勢部材の付勢力に抗して揺動軸周りに回動させてクリップ本体２０を開き、台板１２上に載置した紙類の一端部を位置合わせして手を離すと、付勢部材の付勢力によりクリップ本体２０と台板１２又は取付部２２の固定板部２２ａとの間で紙類を挟み付けて紙の一端部を支持する。なお、挟持部１４のクリップ本体２０の形態は、例えば、幅広い板状に形成されていてもよい。
【００２６】
本実施形態では、筆記具５２は、図１、図２に示すように、一方に長い軸体５４の先端に紙類に顔料やインク等を付着させるための筆記先端部５６が設けられたものが利用される。具体的には、筆記具５２は、例えば、鉛筆、メカニカルペンシル、ボールペン、サインペン、万年筆等が利用される。
【００２７】
図１、図２、図３に示すように、保持具１６は、筆記具５２を保持するための筆記具保持手段であり、磁力連結機構１８により台板１２の他端部Ｅ２（図１上、下端部側）に着脱自在に連結される。本実施形態では、保持具１６は、例えば、中空円筒状に形成されており、少なくとも一端側を開口しその開口に連通する挿入孔２４を内部に有する筒状本体２６を有している。筒状本体２６の挿入孔２４は、筆記具を軸体の長手方向に沿って自在に挿脱させて保持するための保持用孔であり、筆記具５２の先端を挿入することで該筆記具５２に嵌合状に装着される。筒状本体２６は、筆記具５２の筆記先端部５６を覆うように着脱自在に嵌着するキャップ体を構成している。筒状本体２６には、その外周部の一部分に磁力連結機構１８を構成するための第２の磁力吸着要素３２が固定されている。保持具１６は、第２の磁力吸着要素３２を台板１２の第１の磁力吸着要素３０と磁力連結させて、挿入孔２４で支持した筆記具５２を台板１２の他端部Ｅ２に保持される。保持具１６を台板１２に連結した状態では、図６にも示すように、保持具１６は、挿入孔２４の孔軸方向が台板面と略平行になるように設定されている。したがって、保持具１６は、筆記具５２の軸体５４が台板面と略平行となるように筆記具５２の軸体５４を横倒し保持する横倒し支持構造２８を備えている。すなわち、筆記具５２を台板板面と略平行に横倒し状に支持する保持具１６の支持構造２８は、筒状本体２６の筆記具５２を挿入させる挿入孔２４の孔の向きと、筒状本体２６の外部に取り付けられる第２の磁力吸着要素３２と、により設定されている。保持具１６は、筆記具の態様に応じて大きさや形状等を任意に設計される。
【００２８】
磁力連結機構１８は、保持具１６を台板１２に磁力の作用により着脱自在に連結させるための連結手段である。磁力連結機構１８は、台板１２の他端部Ｅ２側に設けられる第１の磁力吸着要素３０と、保持具１６に設けられる第２の磁力吸着要素３２と、を含み、それらの磁力吸着力により着脱自在に磁力連結される。図５に示すように、本実施形態では、磁力連結機構１８は、台板１２の他端部Ｅ２において、保持具１６と台板１２との間に紙類５０を挟み込む状態で磁力連結するようになっている。よって、磁力連結機構１８は紙類５０に対する第２の挟持部を構成しており、台板１２上に載置された紙類５０は、一端部を上述の挟持部１４で挟持され、他端部を磁力連結機構１８によって挟持される。
【００２９】
図１、図２に示すように、台板１２側に設けられる第１の磁力吸着要素３０は、例えば、鉄等の磁力に吸着される金属製の薄板状シート材３４からなる。薄板状シート材３４は、例えば、縦×横のサイズが約４．５ｃｍ×３ｃｍ程度で、厚さが０．１ｍｍ程度に設けられており、台板１２の所定の位置に貼り付けられるとその表面が台板の板面と略面一となる。図４に示すように、薄板状シート材３４は、例えば、裏面側に接着剤３６が塗布されて形成された接着面を有し、その接着面に離型紙３８が貼付されており、離型紙３８を剥離して台板１２の所定の位置に貼り付けることで取付けられる。薄板状シート材３４の取付位置は、例えば、該台板１２の挟持部１４から離隔した位置であって、台板の他端部Ｅ２の一つの隅部に寄った位置（図１上では、右下隅部位置）に取り付けられている。
【００３０】
図１、図２、図３に示すように、保持具１６側に設けられる第２の磁力吸着要素３２は、例えば、筒状本体２６に一体的に組み付けられる永久磁石４０からなる。本実施形態では、保持具１６の永久磁石４０は、例えば、保持具１６の筒状本体２６の軸方向に沿って長い細長帯状に形成されており、該筒状本体２６の外周面よりも径方向に段差幅Ｄをつけて突出させて設けられている。このように保持具の筒状本体２６から磁石４０を突設した構成とすることにより、図６に示すように、保持具１６が台板１２に連結された状態では、横倒し保持する筆記具５２の軸体５４と、台板１２上面と、の間に幅Ｈの空間４２を形成することができる。この隙間幅Ｈの空間は、紙類５０の磁力連結機構１８により直接に挟み込まれない部分５０ｓについて、紙類の厚み方向ｔへの逃げを許容するための逃げ空間４２を構成する。基本的には、保持具で保持した筆記具の軸体５４と台板１２の板面とが密着状に又は近接するように構成してもよい。しかしながらこの場合、図５にも示すように、磁力連結機構１８は紙類５０の他端部の一部分のみを挟み込む構成であるので、直接に挟まれていない部分５０ｓは、紙自身の撓み等によって厚さ方向ｔに浮き上がろうとする場合がある。その紙類の撓み力によって筆記具５２を台板から離隔させるように押上げようとする力が作用する結果、磁力連結されているだけの保持具１６は台板１２から不意に離脱し落下してしまうおそれがある。本実施形態では、上述のように逃げ空間４２を形成する構成としたことにより、紙の撓み力等による保持具１６の不意な離脱を防止でき、保持具１６による筆記具５２の保持状態を良好に維持できる。
【００３１】
次に、本実施形態にかかる紙類挟みホルダ装置１０の作用について説明する。紙類挟みホルダ装置１０に紙類を挟む際には、保持具１６を離脱した状態で挟持部１４を広げて紙類５０を位置合わせし、挟持部１４を閉じて紙類の一端部を挟持させる。保持具１６に筆記部５２を装着させた状態で、磁力連結機構１８を介して保持具１６を台板１２の他端部に紙類５０の他端部を挟持させる状態で磁力連結させる。筆記具５２は台板１２にその板面に略沿うように横倒し状に保持されるとともに、紙類５０は対向する両端部を挟持されて安定して台板上に支持される。これにより、筆記具を比較的コンパクトな状態で良好に携帯でき便利が良いとともに、持ち運びする際や風が吹いた際等に紙が捲られにくく、使い勝手を向上できる。図６に示すように、保持具１６を台板１２に連結した状態では、保持具１６に保持された筆記具５２の軸体５４は、台板１２との間に逃げ空間４２が形成された状態で略平行状に配置される。筆記具の軸体５４と台板１２板面との間の逃げ空間４２により、紙類５０について磁力連結機構１８により直接に挟み込まれていない部分の撓み等により筆記具５２が押されて保持具１６が不意に離脱するのを防止でき、磁力連結状態を良好に維持できる。ホルダ装置に支持させる紙類を追加する場合や紙類を取り外す場合には、上記と略同様の手順で簡単に行える。一方、筆記具５２で紙類５０に筆記する際には、保持具１６から筆記具５２を離脱させてスムーズに筆記できる。また、必要に応じて保持具１６を台板１２から離脱させ、筆記具５２の筆記先端部とは反対側の後端部側に保持具１６を装着させた状態で筆記することもできる。筆記を終えた後には、再び筆記具５２を保持具１６で保持させることができる。なお、紙類挟みホルダ装置１０に保持させる紙類の枚数は１枚でも複数枚でもよい。複数枚の紙類を保持させる場合には、全ての紙類を重ねた状態で最上面の紙類の上から保持具１６で挟み込むようにしてもよいし、重ねられている紙類の途中から保持具１６で挟み込むようにしてもよい。
【００３２】
また、例えば、上記のキャップ体で構成された保持具１６と薄板状シート材３４とによる組合せで筆記具用キャップセットとして構成し、そのキャップセットを販売等することとしてもよい。キャップ体と薄板状シート材３４とのキャップセットを従来既存の台板１２と挟持部１４とで構成された紙類挟みホルダに組み付けて、上記のような紙挟みホルダ装置１０を簡単に設けることができる。
【００３３】
なお、紙類挟みホルダ装置の用途としては、例えば、グランドゴルフでのスコアカードへのスコア記入、食堂・レストラン・居酒屋等の飲食店での伝票への記入、アンケートの記入、病院等での問診表への記入、様々な記録や調査の記入等、その他屋内又は屋外で種々の筆記を行う際に利用できる。また、紙類挟みホルダ装置の台板のサイズや形状は、例えば、Ａ４、Ａ５、Ａ６等のＡ規格サイズ、Ｂ４、Ｂ５、Ｂ６等のＢ規格サイズ、菊版、四六版、レター、はがき等の規格サイズの紙類に対応したもの、或いは細長い伝票タイプの紙類に対応した一方向に細長いもの、その他任意の紙類のサイズに対応したサイズ・形状で設けてもよい。
【００３４】
以上説明した本考案の紙類挟みホルダ装置及びそれに用いられる保持具、並びに筆記具用キャップ体及び筆記具用キャップセットは、上記した実施形態のみの構成に限定されるものではなく、実用新案登録請求の範囲に記載した本考案の本質を逸脱しない範囲において、任意の改変を行ってもよい。
【産業上の利用可能性】
【００３５】
本考案の紙類挟みホルダ装置は、グランドゴルフでのスコアカードへのスコア記入、食堂・レストラン・居酒屋等の飲食店での伝票への記入、アンケートの記入、病院等での問診表への記入、様々な記録や調査の記入等、その他屋内・屋外で種々の筆記を行う際に利用できる。
【符号の説明】
【００３６】
１０    紙類挟みホルダ装置
１２    台板
１４    挟持部
１６    保持具
１８    磁力連結機構
２６    筒状本体
２８    横倒し支持構造
３０    第１の磁力吸着要素
３２    第２の磁力吸着要素
３４    薄板状シート材
４２    逃げ空間
５０    紙類
５２    筆記具
５４    軸体
５６    筆記先端部
Ｅ１    台板の一端部
Ｅ２    台板の他端部
【図１】
0003180764.tif 000003
【図２】
0003180764.tif 000004
【図３】
0003180764.tif 000005
【図４】
0003180764.tif 000006
【図５】
0003180764.tif 000007
【図６】
0003180764.tif 000008